(57)【要約】【課題】従来、結婚式や葬儀のように、挨拶、ギフトの対象者が、特定の場所に参集する場合、予め用意した挨拶状とギフトをその場で直接対象者に手渡していたが、嵩張るものや重いものを貰って邪魔になる場合が多く、却って迷惑な課題があり、また、中元、歳暮、各種のお返しの場合、挨拶状とギフトを別々に送付していたため手間がかかり、よって、挨拶状を省略する場合が多く、そのため、ギフトを送る側の感謝の気持ち等が対象者に伝わりにくい課題があった。【解決手段】各種の挨拶文２とギフト目録３、及びギフト４の申込書５を１枚の用紙１に併記印刷してなる本考案の兼用挨拶状Ａを、結婚式、葬式等のように挨拶及びギフトの対象者が特定の場所に参集する場合は、その場所で手渡し、また、中元、歳暮等のように特定の対象者に届ける場合は、郵送等で届けるようにすると共に、目録３記載のギフト４を申込書５による申込みで別送するようにして、課題を解決した。【選択図】図１
0003108331.tif 000002
【実用新案登録請求の範囲】
【請求項１】
各種の挨拶文とギフト目録、及びギフトの申込書を１枚の用紙に併記印刷してなる兼用挨拶状であり、
該兼用挨拶状を、結婚式、葬式等のように挨拶及びギフトの対象者が特定の場所に参集する場合は、その場所で手渡し、
中元、歳暮等のように特定の対象者に届ける場合は、該兼用挨拶状を郵送等の送付手段で届けるようにすると共に、
目録記載のギフトを、ギフト申込書による申込みで別送するようにしたことを特徴とする、
挨拶文・ギフト目録・申込書の兼用挨拶状。
【請求項２】
兼用挨拶状を受取った対象者は、ギフト申込書のマニュアルに従い、ギフト申込書を切取って郵送し、若しくは、電話、ファックス、インターネット等で申込み、ギフトの送付を受けるようにしたことを特徴とする、
請求項１記載の挨拶文・ギフト目録・申込書の兼用挨拶状。
【請求項３】
ギフト目録には、主として１〜３品位の少数を掲載するようにして、取扱業者、贈呈者、受贈者等の取扱、選定の労力を省き、その分良品を贈れるようにしたことを特徴とする、
請求項１記載の挨拶文・ギフト目録・申込書の兼用挨拶状。
【考案の詳細な説明】
【技術分野】
【０００１】
本考案は、種々の目的に対応した挨拶文とギフト目録とその申込書を１枚の用紙に併記印刷した兼用挨拶状であり、
【０００２】
該兼用挨拶状を、結婚式、葬式等のように挨拶及びギフトの対象者が特定の場所に参集する場合は、その場所で手渡し、
【０００３】
中元、歳暮等のように特定の対象者に届ける場合は、該兼用挨拶状を郵送等の送付手段で届けるようにすると共に、
【０００４】
目録記載のギフトを、対象者のギフト申込書による申込みで別送するようにしたことを特徴とする、挨拶文とギフト目録兼申込書を併記印刷した兼用挨拶状に係るものである。
【背景技術】
【０００５】
通常、個人、法人等が種々の「挨拶文」「挨拶状」を使用し、或いはそれを必要とする場合としては、
「個人、法人の別無く」
例えば、お中元、お歳暮、季節の挨拶、各種お祝い若しくはそのお返し(結婚、出産、初節句、七五三、長寿、入学、卒業、就職、新築等)、各種パーティー等や、  葬儀・法事等若しくはそのお返し、各種お見舞い若しくはそのお返し(病気、交通事故、各種の罹災等)等があり、
【０００６】
「法人独自の例として」
例えば、会社設立・創業、株主総会、独立開業、支店・新店舗等の開設披露、改装オープン、各種記念、新商品・新製品等の発表、顧客招待旅行、ゴルフコンペ、親睦・懇親会、会社の移転・変更等（社屋移転、社名変更、会社合併等）、人事異動（社長就任、新任地へ移動・着任、転職、定年退職等）、その他の各種パーティー等がある。
【０００７】
上記のような場合、それぞれの場合に対応した種々の挨拶文、挨拶状を使用し、或いは必要としていた。
そして、上記のような種々の挨拶の場合に挨拶状を使用する場合、挨拶状だけの場合もあるが、通常、挨拶状と共に贈答品即ちギフトを伴う場合が一般的であった。
【考案の開示】
【考案が解決しようとする課題】
【０００８】
而して、従来、上記の内、例えば結婚式や葬儀のように、挨拶、ギフトの対象者が、特定の場所に参集する場合、従来は、予め用意した挨拶状とギフトをその場で直接対象者に手渡していたが、嵩張るものや重いものを貰って、持ち歩くのに邪魔になる場合が多く、特に、遠方から参加して帰る人や、これから寄る処がある人には、却って迷惑になってしまうような課題があり、
【０００９】
また、上記の内、例えば、中元、歳暮、各種のお返し（葬儀・法事、各種お祝い、各種お見舞い等のお返し）のような場合、従来は、挨拶状とギフトを別々に送付していたため手間がかかり、よって、挨拶状を省略する場合が多く、そのため、ギフトを送る側の感謝の気持ち等が対象者に伝わりにくい課題があった。
【００１０】
そこで、本考案は、上記従来の方式に代え、挨拶文とギフト目録と申込書を１枚の用紙に併記印刷した本考案の兼用挨拶状を提供して、上記従来の課題を解決したものである。
【課題を解決するための手段】
【００１１】
即ち、本考案は、各種の挨拶文とギフト目録、及びギフトの申込書を１枚の用紙に併記印刷してなる兼用挨拶状であり、
【００１２】
該兼用挨拶状を、結婚式、葬式等のように挨拶及びギフトの対象者が特定の場所に参集する場合は、その場所で手渡し、
【００１３】
中元、歳暮等のように特定の対象者に届ける場合は、該兼用挨拶状を郵送等の送付手段で届けるようにすると共に、
【００１４】
目録記載のギフトを、ギフト申込書による申込みで別送するようにしたことを特徴とする、挨拶文・ギフト目録・申込書の兼用挨拶状によって、課題を解決したものである。
【考案の効果】
【００１５】
本考案兼用挨拶状によれば、例えば、結婚式や葬儀の場合、従来のように、嵩張るものや重いものを貰って、持ち歩くのに邪魔になるようなことがない、優れた特徴がある。
【００１６】
また、例えば、中元、歳暮、各種のお返しのような場合、従来は、挨拶状とギフトを別々に送付していたため手間がかかり、よって、挨拶状を省略する場合が多く、そのため、ギフトを送る側の感謝の気持ち等が対象者に伝わりにくい課題があったが、本考案兼用挨拶状によれば、このような課題を有効に解決し得る。
【００１７】
ギフトする品種を取扱業者若しくは贈呈者の方で、予め少数品種に限定できるので、仕入価格や商品在庫の制限がなくなって、逆に、選定の自由度が増すため、逆に、取扱える品物の種類を多彩にすることができて、例えば、通常のカタログギフトでは取扱い難い生鮮品、産直品、大きいもの、重いものや、更に、交渉次第では、各種受注生産品、キャラクター商品、ブランド品なども取扱可能な特徴がある。
【００１８】
本考案兼用挨拶状の挨拶文は、ユーザー(取扱業者若しくは贈呈者)が予め用意してある挨拶文パターンの中から自由に選ぶことも、また、自分でオリジナルに作ることもできる。
【考案を実施するための最良の形態】
【００１９】
ユーザーの目的に合った各種の挨拶文とギフト目録、及びギフトの申込書を１枚の用紙に併記印刷してなる兼用挨拶状によって実現した。
【実施例】
【００２０】
図１は本考案の実施例兼用挨拶状の表面図であり、図２は裏面図である。
【００２１】
本考案の兼用挨拶状を実施例図面につき説明すると、本考案は、各種の挨拶文２とギフト目録３、及びギフト４の申込書５を１枚の用紙１に併記印刷してなる兼用挨拶状Ａであり、
【００２２】
該兼用挨拶状Ａを、結婚式、葬式等のように挨拶及びギフトの対象者が特定の場所に参集する場合は、その場所で手渡し、
【００２３】
中元、歳暮等のように特定の対象者に届ける場合は、該兼用挨拶状Ａを郵送等の送付手段で届けるようにすると共に、
【００２４】
目録３記載のギフト４を申込書５による申込みで別送するようにしたことを特徴とする、挨拶文２・ギフト目録３・申込書５の兼用挨拶状Ａである。
【００２５】
上記兼用挨拶状Ａにおいて、該兼用挨拶状Ａを受取った対象者は、ギフト申込書５のマニュアルに従い、ギフト申込書５を切取って郵送し、若しくは、電話、ファックス、インターネット等で申込み、ギフト４の送付を受けるものである。
【００２６】
また、ギフト目録３には、主として、１〜３品位の少数のギフト４を掲載するようにして、取扱業者、贈呈者、受贈者等の取扱、選定の労力を省き、その分良品を贈れるようにすることが好適である。
符号６は用紙１の折り目である。
【産業上の利用可能性】
【００２７】
本考案兼用挨拶状は、社会生活全般において、挨拶文とギフトの組合せ使用が必要とされるあらゆる場合に適用できるため、極めて便利な特徴がある。
【図面の簡単な説明】
【００２８】
【図１】本考案の実施例の表面図。
【図２】裏面図。
【符号の説明】
【００２９】
Ａ  本考案の兼用挨拶状
１  用紙
２  挨拶文
３  ギフト目録
４  ギフト
５  申込書
６  折り目
【図１】
0003108331.tif 000003
【図２】
0003108331.tif 000004
【手続補正書】
【提出日】平成16年12月17日(2004.12.17)
【手続補正１】
【補正対象書類名】実用新案登録請求の範囲
【補正対象項目名】全文
【補正方法】変更
【補正の内容】
【実用新案登録請求の範囲】
【請求項１】
各種の挨拶文とギフト目録、及びギフトの申込書を１枚の用紙に併記印刷して設けた、挨拶文・ギフト目録・申込書の兼用挨拶状。